(57)【要約】【課題】折り紙等の複数枚の紙片を背綴じしても、その途中部分から任意の紙片のみを切り離すことができる背糊綴じ帳の提供を目的とする。【解決手段】重ね合わされた複数枚の紙片１１ａ、１１ｂ、１１ｃ、１１ｄのそれぞれの端面１２ａ、１２ｂ、１２ｃ、１２ｄが互いに剥離可能に接着されて纏められた複数の紙片束１０ａ、１０ｂ、１０ｃ、１０ｄが、それぞれ端面１２ａ、１２ｂ、１２ｃ、１２ｄを背面として剥離可能に背紙２０に背糊されていることを特徴とする背糊綴じ帳１。【選択図】図１
2010228352.tif 000002
【特許請求の範囲】
【請求項１】
重ね合わされた複数枚の紙片の端面が互いに剥離可能に接着されて纏められた複数の紙片束が、それぞれ前記端面を背面として背紙に剥離可能に背糊されていることを特徴とする背糊綴じ帳。
【請求項２】
前記紙片が折り紙である、請求項１に記載の背糊綴じ帳。
【請求項３】
さらに、前記背紙の前記紙片束と反対側にカバーが装着されている、請求項１又は２に記載の背糊綴じ帳。
【発明の詳細な説明】
【技術分野】
【０００１】
本発明は、折り紙やメモ帳等を背綴じした背糊綴じ帳に関する。
【背景技術】
【０００２】
折り紙には色や柄の異なる様々な種類があり、通常それらが色や柄ごとに複数枚ずつ組みにされ、それら全体が包装袋等で包装された状態で販売されている。しかし、このように折り紙全体を包装して販売する方法では、店頭で中身を取り出して折り紙の色や柄を確認することができない。
そこで、店頭においては、折り紙の色や柄を確認できるように、販売品とは別に包装袋から折り紙を取り出したサンプルを展示している。
【０００３】
一方、メモ帳等では、複数枚の紙片総てを重ね合わせて背糊で背紙に接着させて綴じる方法が用いられている（特許文献１）。
【先行技術文献】
【特許文献】
【０００４】
【特許文献１】特開平９−３９４２６号公報
【発明の概要】
【発明が解決しようとする課題】
【０００５】
前述のように包装袋から取り出してサンプルを展示する場合、色や柄の異なる折り紙全てが見えるようにするには広いスペースが必要となる。また、買い物客がサンプルを手に取って確認すると、それらサンプルの折り紙がバラバラになるため見た目も悪くなる。販売促進にはサンプルを含めて商品の展示の見た目は重要であるため、買い物客が確認する度にサンプルを展示し直さなければならなくなる。
また、包装袋で折り紙を包装する方法は、購入者が使用する際にも折り紙の色や柄を確認し難いという問題がある。
【０００６】
本発明者は、折り紙における前記問題を解決する方法として、特許文献１に記載された方法のように、複数枚の折り紙を総て重ね合わせて背綴じする方法を検討した。このように折り紙を背綴じすれば、容易に中身の色や柄を確認することができ、また確認後にそれら折り紙がバラバラになって見た目が悪化することを防止できる。
【０００７】
しかし、該方法により折り紙を背綴じすると、購入者がその綴じられ状態の途中部分から使用したい色や柄の折り紙を切り離そうとすると、切り離そうとする折り紙だけでなく、その上に重ねられた折り紙がまとめて切り離されてしまう。そのため、従来のメモ帳と同様に折り紙を綴じてしまうと、上から順に切り離して使用せざるを得ない。
そのため、折り紙を背綴じする方法は、店頭でのディスプレイには有効と考えられるが、購入者の満足は得がたいものであると思われた。
【０００８】
そこで本発明では、折り紙等の複数枚の紙片を背綴じしても、その途中部分から任意の紙片のみを切り離すことができる背糊綴じ帳の提供を目的とする。
【課題を解決するための手段】
【０００９】
本発明は、前記課題を解決するために以下の構成を採用した。
［１］重ね合わされた複数枚の紙片の端面が互いに剥離可能に接着されて纏められた複数の紙片束が、それぞれ前記端面を背面として背紙に剥離可能に背糊されていることを特徴とする背糊綴じ帳。
［２］前記紙片が折り紙である、前記［１］に記載の背糊綴じ帳。
［３］さらに、前記背紙の前記紙片束と反対側にカバーが装着されている、前記［１］又は［２］に記載の背糊綴じ帳。
【発明の効果】
【００１０】
本発明の背糊綴じ帳は、折り紙等の複数枚の紙片を背綴じしても、その途中部分から任意の紙片のみを切り離すことができる。
【図面の簡単な説明】
【００１１】
【図１】本発明の背糊綴じ帳の実施形態の一例を示した斜視図（Ａ）及び側面図（Ｂ）である。
【図２】図１の背糊綴じ帳の製造工程を示した工程図である。
【図３】本発明の背糊綴じ帳の他の実施形態を示した斜視図である。
【図４】本発明の背糊綴じ帳の他の実施形態を示した側面図（Ａ）及びその拡大図（Ｂ）である。
【発明を実施するための形態】
【００１２】
［第１実施形態］
本実施形態の背糊綴じ帳１は、図１（Ａ）、（Ｂ）に示すように、紙片束１０ａ、１０ｂ、１０ｃ、１０ｄと、背紙２０と、表紙３０とを有する。
紙片束１０ａは、重ね合わせた複数枚の紙片１１ａと、紙片１１ａの端面１２ａに形成された背糊部１３ａとを有している。同様に、紙片束１０ｂ、１０ｃ、１０ｄも、重ね合わせた複数枚の紙片１１ｂ、１１ｃ、１１ｄと、これらの端面１２ｂ、１２ｃ、１２ｄに形成された背糊部１３ｂ、１３ｃ、１３ｄを各々有している。紙片束１０ａの複数枚の紙片１１ａは、背糊部１３ａにより剥離可能に接着されて纏められている。同様に、紙片束１０ｂ、１０ｃ、１０ｄの紙片１１ｂ、１１ｃ、１１ｄは、各々背糊部１３ｂ、１３ｃ、１３ｄにより剥離可能に接着されて纏められている。
以下、紙片束１０ａ〜１０ｄをまとめて「全紙片束１０」、端面１２ａ〜１２ｄをまとめて「全端面１２」ということがある。
【００１３】
紙片１１ａ〜１１ｄは、正方形の折り紙である。
紙片１１ａ〜１１ｄの大きさは適宜選定することができ、例えば、折り紙として使用可能な各種大きさとすることができる。
【００１４】
複数枚の紙片１１ａは、色、柄、レイアウト等のデザインが互いに同一である。同様に、複数枚の紙片１１ｂ〜１１ｄは、各々デザインが互いに同一である。
また、紙片束１０ａ〜１０ｄの紙片１１ａ〜１１ｄのデザインは、互いに異なっている。例えば柄のない折り紙を例にすると、紙片束１０ａが赤の紙片１１ａ、紙片束１０ｂが青の紙片１１ｂ、紙片束１０ｃが黄の紙片１１ｃ、紙片束１０ｄが緑の紙片１１ｄと、それぞれ色の異なる複数枚の折り紙からなる紙片束となっている。
【００１５】
紙片束１０ａ〜１０ｄの各々の紙片束を構成する紙片１１ａ〜１１ｄの枚数は、重ね合わせたそれら複数枚の紙片１１ａ〜１１ｄの端面１２ａ〜１２ｄを接着して纏めることのできる枚数であれば特に限定はなく、需要者の嗜好等を考慮して適宜設定すればよい。例えば、５〜２０枚とすることができる。
【００１６】
また、紙片束１０ａ〜１０ｄは、紙片１１ａ〜１１ｄにおける色や柄等が施されたデザイン面が全て表紙３０ａ側を向くように綴じられている。これにより紙片束１０ａ〜１０ｄにおける紙片１１ａ〜１１ｄのデザイン面を表紙３０ａ側から容易に確認できる。
【００１７】
背糊部１３ａ〜１３ｄは、接着剤により形成することができる。
背糊部１３ａ〜１３ｄを形成する接着剤は、紙片束１０ａ〜１０ｄそれぞれにおいて紙片１１ａ〜１１ｄを１枚ずつ剥離可能に接着できるものであればよく、従来のメモ帳等の製造に通常用いられる酢酸ビニール樹脂系の接着剤等が使用できる。
【００１８】
紙片束１０ａ〜１０ｄは、背糊部１３ａ〜１３ｄが背紙２０に対向するように重ね合わされ、接着層１４を介して剥離可能に背紙２０に接着されている。すなわち、紙片束１０ａ〜１０ｄはそれぞれ、端面１２ａ〜１２ｄを背面として背紙２０に剥離可能に背糊されている。また、背紙２０の全紙片束１０を背糊した面における全紙片束１０の接着面の両側部分２０ａ、２０ｂには、２枚の表紙３０が接着されている（図１（Ｂ））。表紙３０により、背綴じした紙片１１ａ〜１１ｄを保護することができる。
【００１９】
背紙２０は、メモ帳等の製造において通常用いられる背紙を用いることができる。背紙２０としては、例えば、薄くて柔軟性のある和紙が挙げられる。
背紙２０の形状は矩形である。背紙２０の幅（全紙片束１０の厚み方向に沿う長さ）は全紙片束１０の厚みより長めとされ、両端は各々表紙３０ａ、３０ｂに沿って折り曲げられ、表紙３０ａ、３０ｂの全端面１２側の一部の面領域を覆うようになっている。背紙２０の長さ（図１（Ｂ）の紙面に直行する方向の長さ）は、全端面１２の長さと同じとされている。全紙片束１０の全端面１２を充分に覆うことのできる背紙２０を用いることにより、全紙片束１０をしっかりと安定に背糊することができる。
【００２０】
接着層１４を形成する接着剤は、紙片束１０ａ〜１０ｄの端面１２ａ〜１２ｄを背面として背紙２０に剥離可能に背糊できるものであればよく、例えば、背糊部１３ａ〜１３ｄを形成する接着剤と同じものが使用できる。
【００２１】
表紙３０の材質は特に限定されず、例えば、和紙、厚紙が挙げられる。
【００２２】
前述したように、従来のメモ帳等のように重ね合わせた複数枚の折り紙総てを背綴じた場合、途中部分から使用したい色や柄の折り紙を切り離そうとすると、その上に重ねられている折り紙もまとめて切り離されてしまう。
背糊綴じ帳１では、紙片束１０ａ〜１０ｄの端面１２ａ〜１２ｄに、それぞれ別々に背糊部１３ａ〜１３ｄが形成されている。そして、背糊部１３ａ〜１３ｄは、図１（Ｂ）に示すようにそれらが互いに接着されていない。すなわち、背糊綴じ帳１においては、各紙片束１０ａ〜１０ｄそれぞれが従来のメモ帳等と同様に纏められおり、それらがそれぞれ独立して背紙２０に接着されている。そのため、例えば紙片束１０ａ、１０ｂを捲り上げて、紙片束１０ｃの最も表紙３０ａに近い側の紙片１１ｃを引けば、背糊部１３ｃが割れて、当該紙片１１ｃ部分の背糊部１３が他の部分から分離すると共に、接着層１４から剥離するので、全紙片束１０の途中にある紙片１１ｃだけを背糊綴じ帳１から取り出すことができる。
このように、どの紙片束においも従来のメモ帳等を上から順に切り離すのと同等に紙片を切り離せるため、使用したいデザインの紙片が全紙片束１０の途中の紙片束の紙片であっても、その紙片のみを取り出すことができる。
【００２３】
以下、前述の背糊綴じ帳１の製造方法について説明する。
まず、色、柄等のデザインごとに分類した複数枚の紙片１１ａ、１１ｂ、１１ｃ、１１ｄをそれぞれ重ね合わせて複数の束を作成し、さらにそれら複数の束を総て、各々の束の間に合紙が随時挿入されるようにして重ね合わせ、万力で挟んで固定する。次いで、それら重ね合わされた複数の束の端面（全端面１２）に接着剤を塗布し、乾燥させる。その後、合紙の部分から各束を分離することにより、複数枚の紙片１１ａ〜１１ｄのそれぞれの端面１２ａ〜１２ｄに各々背糊部１３ａ〜１３ｄが形成された紙片束１０ａ〜１０ｄを得る（図２（Ａ））。
また、背紙２０の紙片束を背糊する面の両側部分２０ａ、２０ｂ（図１（Ｂ））に表紙３０ａ、３０ｂを接着する（図２（Ｂ））。
【００２４】
次いで、紙片束１０ａ〜１０ｄを背糊部１３ａ〜１３ｄが揃うように再度重ね合わせて万力で挟んで固定し、背糊部１３ａ〜１３ｄ上に接着剤を塗布し（図２（Ｃ））、背紙２０の接着部分２０ｃと接着する。これにより、紙片束１０ａ〜１０ｄがそれぞれ端面１２ａ〜１２ｄを背面として背紙２０に背糊された背糊綴じ帳１が得られる。
尚、紙片束１０ａ〜１０ｄと背紙２０の接着方法は、背紙２０の接着部分２０ｃに接着剤を塗布して接着する方法であってもよい。
【００２５】
［第２実施形態］
本発明の背糊綴じ帳は、図３に示すように、カバーを有する背糊綴じ帳２であってもよい。背糊綴じ帳２において背糊綴じ帳１と同じ部分については同符号を付して説明を省略する。
背糊綴じ帳２は、図３に示すように、紙片束１０ａ〜１０ｄと、背紙２０と、表紙３０と、カバー４０とを有する。背糊綴じ帳２は、カバー４０を有する以外は背糊綴じ帳１と同じものである。
カバー４０は、背紙２０の全紙片束１０の反対側の面に接着剤で接着されることにより背紙２０に装着されている。
【００２６】
カバー４０は特に限定されず、ソフトカバーであってもよく、ハードカバーであってもよい。カバー４０の材質としては、例えば、ボール紙、樹脂含浸紙、革、樹脂板等が挙げられる。
カバー４０を接着する接着剤は、背紙２０の全紙片束１０が背糊された反対側の面にカバー４０をしっかりと接着できるものであればよく、例えば、酢酸ビニール系水溶性エマルジョン等が挙げられる。
【００２７】
［第３実施形態］
本発明の背糊綴じ帳は、図４（Ａ）及び図４（Ｂ）に示すように、カバーを有する背糊綴じ帳３であってもよい。背糊綴じ帳３において背糊綴じ帳１及び背糊綴じ帳２と同じ部分については同符号を付して説明を省略する。
背糊綴じ帳３は、図４（Ａ）に示すように、紙片束１０ａ〜１０ｄと、背紙２０と、表紙３０と、カバー４０と、中間紙５０とを有する。背糊綴じ帳３は、中間紙５０を有する以外は背糊綴じ帳２と同じものである。
中間紙５０と背紙２０は、図４（Ｂ）に示すように、背紙２０の全紙片束１０を背糊した反対側の面２０ｄと、それに対応する中間紙５０の内面５０ａとが接着されないようにして、残りの接触部分が接着剤で接着されている。また、カバー４０は、中間紙５０の内面５０ａに対応する外面５０ｂに接着剤で接着されることにより装着されている。
【００２８】
中間紙５０は特に限定されず、例えば、背紙２０と同じ紙を使用できる。また、中間紙５０の形状及び大きさは、背紙２０の形状及び大きさと同じである。
背糊綴じ帳３は、背紙２０と中間紙５０とが、背紙２０の面２０ｄの部分が中間紙５０に接着されないように接着されているので、背糊綴じ帳３を開く際、図４（Ｂ）に示すように背紙２０の面２０ｄの部分は中間紙５０及びカバー４０から離れて湾曲できる。そのため、紙片束１０ａ〜１０ｄを捲り上げる際、背糊綴じ帳２に比べて背糊部１３ａ〜１３ｄが接着剤層１４から部分的に剥離することをより抑制しやすく、全紙片束１０の途中から紙片をより安定に切り離すことができる。
【００２９】
［他の実施形態］
本発明の背糊綴じ帳は、前述した背糊綴じ帳１〜３には限定されない。
例えば、背糊綴じ帳の紙片束の数は４つには限定されず、２つ又は３つであってもよく、５つ以上であってもよい。
各々の紙片束を構成する各紙片は、背綴じして使用するものであれば折り紙には限定されず、例えば、複数種類のデザインのメモ用紙であってもよい。
また、紙片の形状は、重ね合わせた複数枚の紙片の端面を接着して紙片束とし、該紙片束をそれぞれ背紙に背糊して綴じることのできる形状であればよく、長方形、五角形、六角形、八角形等であってもよい。
【００３０】
また、背糊綴じ帳に綴じられる複数の紙片束には、同一デザインの紙片からなる２以上の紙片束が含まれていてもよい。すなわち、例えば柄のない折り紙を例にすると、紙片束１０ａが赤、紙片束１０ｂが青、紙片束１０ｃが黄、紙片束１０ｄが赤のように、全紙片束１０の中に同一色の折り紙からなる紙片束が含まれていてもよい。
また、紙片束ごとの複数枚の紙片のデザインは、完全に同一である必要はない。例えば、互いにわずかにデザインが異なる複数枚の紙片を重ね合わせて一纏めにした紙片束であってもよい。
【００３１】
紙片を綴じる形態は、総ての紙片のデザイン面が同一面側に向くように綴じる形態には限定されない。例えば、紙片束１０ａと紙片束１０ｂのデザイン面が表紙３０ａ側を向いており、紙片束１０ｃと紙片束１０ｄのデザイン面が表紙３０ｂ側を向いている形態であってもよい。このようにデザイン面を両側に向けて綴じた背糊綴じ帳は、該背糊綴じ帳をどちら側から開いてもデザイン面が見られる点で好ましい。
【００３２】
背紙の幅は、複数の紙片束それぞれを、その端面を背面として背紙に背糊し、安定に綴じることができる大きさであれば特に限定されない。例えば、背紙における紙片を覆う領域の大きさは、該紙片の面積と同じ大きさであってもよく、該紙片の面積より大きくてもよい。反対に、背紙の幅は全紙片束１０の厚みと略同等であってもよい。
また、表紙３０を有さない背糊綴じ帳であってもよい。特に、背紙が紙片全体を覆うことができる大きさである場合や、カバー４０を装着する場合は、表紙３０を省略しても紙片を保護できる。
また、中間紙５０の大きさは背紙２０と同一の大きさには限定されず、背紙２０より大きくてもよい。
【００３３】
また、背糊綴じ帳にカバーを装着する場合、カバーを装着する形態は、ブックカバーのように表紙３０を挿入できるポケットが形成されたカバーを用いて、該カバーを着脱可能に装着する形態であってもよい。
【符号の説明】
【００３４】
１、２、３  背糊綴じ帳
１０ａ、１０ｂ、１０ｃ、１０ｄ  紙片束
１１ａ、１１ｂ、１１ｃ、１１ｄ  紙片
１２ａ、１２ｂ、１２ｃ、１２ｄ  端面
１３ａ、１３ｂ、１３ｃ、１３ｄ  背糊部
１４  接着層
２０  背紙
３０、３０ａ、３０ｂ  表紙
４０  カバー
５０  中間紙
【図１】
2010228352.tif 000003
【図２】
2010228352.tif 000004
【図３】
2010228352.tif 000005
【図４】
2010228352.tif 000006